(57)【要約】【課題】  容器の内容物の確認が容易な塗料容器を提供する。【解決手段】  容器形成材料及び／または容器表面に印刷、ラベルされる商品名等表示の色調が、暖色系あるいは寒色系から選択されること、あるいは、塗料容器表面の一部を特徴表示部として利用し、特徴表示部には文字、図形、記号もしくはこれらの結合またはこれらと色彩とが結合されたものを表示する。【効果】内容物である塗料が溶剤系塗料あるいは水系塗料であること、あるいは、充填される内容物の特徴的事項が明らかになり、取り扱い、塗料の選択、管理手段が容易に把握できる。【選択図】    図１
2004161385.tif 000002
【特許請求の範囲】
【請求項１】
容器形成材料及び／または容器表面に印刷、ラベルされる商品名等表示の色調が、暖色系あるいは寒色系から選択されることにより、内容物である塗料が溶剤系塗料あるいは水系塗料であることを表示したことを特徴とする塗料容器。
【請求項２】
塗料容器表面の一部を特徴表示部として利用し、特徴表示部には文字、図形、記号もしくはこれらの結合またはこれらと色彩とが結合されたものを表示し、充填される内容物の特徴的事項を明らかにしたことを特徴とする塗料容器。
【請求項３】
塗料容器表面の一部に複数の区域からなる特徴表示部を用意し、それぞれの区域毎の特徴表示部に対して意味づけを行い、意味づけのある特定箇所に文字、図形、記号もしくはこれらの結合またはこれらと色彩とが結合されたものを表示し、充填される内容物の特徴的事項を明らかにしたことを特徴とする塗料容器。
【請求項４】
塗料容器表面の一部に分割した区域数が３である特徴表示部を有し、区域数３個に対する意味付けが、下塗り、主材、上塗りであることを特徴とする請求項２または請求項３に記載の塗料容器。
【請求項５】
容器中に充填される塗料について、溶剤系、水系の表示および内容物の特徴的事項の表示の両者を請求項１および請求項２ないし請求項４のいずれかに記載される手段により表示したことを特徴とする塗料容器。
【発明の詳細な説明】
【技術分野】
【０００１】
この発明は、内容物の視認確認が容易な塗料の包装容器に関するものである。内容物については、塗料としているがこの発明の技術思想は、粘着剤、接着剤、防水材料、撥水剤、防虫剤、殺虫剤、防黴剤などの他の分野においても利用可能である。
【背景技術】
【０００２】
従来より、包装容器として用いられる、袋、樽、瓶、箱、カートン、ドラム缶などには、内容物を説明する事項、例えばその商品名、原材料、製造者、販売者、利用者、使用方法、使用上の注意、消費期限などを印刷あるいはラベルによって表示していた。
【特許文献１】実開平３−１２９９８２号公報
【特許文献２】特開平９−７７１３３号公報
【発明の開示】
【発明が解決しようとする課題】
【０００３】
ところが、これら印刷あるいはラベルによる表示は、記載された文字、バーコードを読みとることによって理解されるものであった。
一部に、絵文字により火気厳禁、天地無用、禁水、割れ物注意、積み重ね段数の制限等を表示するものは有った。これらは、一つ一つの包装容器に内蔵される製品についての取り扱い説明が、主たるものであった。
【０００４】
この発明は、上記のような従来技術においては存在しなかった個別の製品に関する事項、あるいは、包装済みの製品群が存在する場合における製品の識別に関する事項を視認容易にすることを目的としてなされたものである。
【０００５】
その目的とするところは、製品が積み重ねられた場合においても、勿論、一ヶだけ存在する場合において、その内容物あるいはその特徴を理解可能とした包装容器を提供することにある。
【課題を解決するための手段】
【０００６】
上記の目的を達成するために、請求項１に記載の発明の包装容器は、容器形成材料及び／または容器表面に印刷、ラベル等される商品名等表示の色調が、暖色系あるいは寒色系から選択されることにより、内容物である塗料が溶剤系塗料あるいは水系塗料であることを表示したことを要旨とする。
【０００７】
請求項２に記載の発明の包装容器は、塗料容器表面の一部を特徴表示部として利用し、特徴表示部には文字、図形、記号もしくはこれらの結合またはこれらと色彩とが結合されたものを表示し、充填される内容物の特徴的事項を明らかにしたことを要旨とする。
【０００８】
請求項３に記載の発明の包装容器は、塗料容器表面の一部に複数の区域からなる特徴表示部を用意し、それぞれの区域毎の特徴表示部に対して意味づけを行い、意味づけのある特定箇所に文字、図形、記号もしくはこれらの結合またはこれらと色彩とが結合されたものを表示し、充填される内容物の特徴的事項を明らかにしたことを要旨とする。
【０００９】
請求項４に記載の発明の包装容器は、請求項２または請求項３の発明において、塗料容器表面の一部に分割した区域数が３である特徴表示部を有し、区域数３個のに対する意味付けが、下塗り、主材、上塗りであることを要旨とする。
【００１０】
請求項５に記載の発明の包装容器は、容器中に充填される塗料について、溶剤系、水系の表示および内容物の特徴的事項の表示の両者を請求項１および請求項２ないし請求項４のいずれかに記載される手段により表示したことを要旨とする。
【００１１】
以下、この発明を構成するそれぞれの要素について説明する。
この発明における塗料とは、水、アルコール、塗料用シンナー、シンナー、ＢＴＸ等を溶媒あるいは分散媒とするものを言う。また、これら塗料を希釈する為に用いられるシンナーについても、組み合わせ使用されるものとして、塗料の言葉の意味に含める事とする。これらの塗料においては、前記した水あるいは溶剤等を含むことにより、非危険物、第１石油類、第２石油類、第３石油類等に分類される。特に、水系塗料と呼ばれる、火災あるいは人体に対する危険性の無いものと、溶剤系塗料と呼ばれる危険物では、管理方法が明確に区別されている。
【００１２】
容器形成材料とは、塗料あるいはシンナーを充填することに用いられる容器を構成する材料のことを言う。例えば、鉄、アルミ、プラスチック、紙とプラスチックの複合物が例示される。容器表面とは、上記容器形成材料により出来上がった個々の容器表面のことを言うと共に、例えば主材・硬化剤、主材・希釈剤がセットとして販売される時の容器表面、および、輸送用にまとめたものに対して表示を行う事も含める。
【００１３】
印刷は、容器表面に直接印刷があること、ラベルとは一旦紙あるいはプラスチックフィルムに着色、印刷したものを貼り付けてあることを言う。
【００１４】
商品名等とは、商品名、商品に付されたキャッチフレーズ、ＪＩＳ分類上の製品名、取り扱い説明、注意事項、製造者あるいは販売者の表示がある。
【００１５】
この発明において暖色系あるいは寒色系の色を選択した理由は、溶剤系であること、即ち燃えやすく、火をイメージする赤色から連想する暖色、そして、水系であること、即ち水をイメージする水色から連想する寒色、と言うことになる。
【００１６】
暖色系の色には、１２色環上の橙を中心に赤から黄色に掛けての色を指し、赤色、ローズ、ストロベリー、珊瑚色、オレンジ色、蜜柑色、橙色、肌色、桃色、紅梅色、紅色、ベビーピンク、シグナルレッド、カーミン、朱色、スカーレット、紅赤、サーモンピンク、杏色、卵色、山吹色、ひまわり色、うこん色、クロームイエロー、タンポポ色が例示される。
【００１７】
また寒色系の色には、１２色環上の青を中心に青緑から青紫に掛けての色を指し、青磁色、青竹色、ピーコックグリーン、ナイルブルー、ピーコックブルー、浅葱、納戸色、ターコイズブルー、シアン、マリンブルー、水色、空色、セルリアンブルー、ベビーブルー、サックスブルー、藍色、露草色、コバルトブルー、縹色、紺青、瑠璃色、群青色、藤納戸色、桔梗色、すみれ色が例示される。
【００１８】
特徴表示部に於ける特徴とは、塗料の機能、品質、適用方法、適用対象、製造者が設定した製品グループ、製造者が設定する一製品の個数、製造者が設定した製品組み合わせグループが例示される。
【００１９】
塗料の機能とは、塗料の用途（例えば、車用、船用、道路用、橋用、建築用、壁用、床用、天井用、木部用、金属用、プラスチック用、コンクリート用等）、性能上の特徴（例えば、熱反射、熱吸収、耐火、防火、夜光性、蓄光姓、再帰反射性、光選択吸収、示温性、導電性、帯電防止性、防錆、張り紙防止性、結露防止性、船底防汚性、壁面防汚性、防虫性、防黴性等）、組成上の特徴（アルキド樹脂、アミノアルキド樹脂、ビニル樹脂、アクリル樹脂、ポリエステル樹脂、エポキシ樹脂、ポリウレタン樹脂、シリコン樹脂、フッ素樹脂等の樹脂組成による分類、エマルジョン塗料、水溶性樹脂塗料等の樹脂の形態による分類）がある。
【００２０】
塗料の品質とは、塗料を種々の試験に共した際の物性値あるいはその値から把握される性能上の特徴を言う。試験方法の代表例はＪＩＳ試験である。ＪＩＳ試験の例として、耐水性、耐アルカリ性、耐塩水性、耐揮発油性、耐沸騰水性、透水度、水蒸気透過度、塩素イオン透過度、耐汚染性、耐摩耗性、耐屈曲性、耐衝撃性、付着性などがある。
【００２１】
塗料の適用方法とは、塗料を被塗物に対して適用する際、利用される手動利器、機械装置を言う。例として、鏝、ローラー、刷毛、エアースプレー、エアレススプレー、圧送ポンプ、圧送ローラーがある。
【００２２】
製造者が設定した製品グループとは、製造者が自ら販売する製品に対して、性能上の特徴から、あるいは組成上の特徴から、いくつかの製品に同じ冠名の商品名を付す事があり、それら冠名によってまとめることが出来る製品グループのことを言う。
【００２３】
製造者が設定する一製品の個数とは、塗料製品の中には、主材と硬化剤、あるいは主材、硬化剤と希釈剤、あるいはＡと言う多彩色を例えばａ１、ａ２、ａ３の３色の塗料を用い、一回または一連の塗装により一つの仕上げをなす場合のように、一工程に使用される塗料が複数の製品から構成されることがあり、１個ないし３個の内から設定されることが多い。
【００２４】
製造者が設定した製品組み合わせグループとは、一つの仕上げをなす際に、下塗り、中塗り、上塗りあるいは下塗り、基層塗り、模様塗り、上塗りとかベースコート、上塗りのように、複数の塗料を重ねて塗って一つの仕上げ面を得るケースがあり、この時組み合わされる塗料の組み合わせを言う。
【００２５】
特徴表示部は、容器形成材料あるいは容器表面において視認容易な位置に設けるのが良い。これは、発明の構成にある表示を行ったとき、その効果の利益を容易に得られるようにするためである。
【００２６】
表示手段としては、上記の通り、文字、図形、記号もしくはこれらの結合またはこれらと色彩とが結合されたものによる方法が有り、これらの内、数字、絵文字、記号あるいはこれらの色彩との結合物が視覚による識別が容易であり利用に適している。
【００２７】
表示の例として、水系塗料、溶剤系塗料の別を水滴あるいは炎の図形により表したり、用途部位を家の図を示し使用可能な部位の色を変えたり太線にして示すものであったり、性能上の特徴を絵文字にしたり、使用不可の部位、下地を図及び文字を記し×印により示したり、塗装使用器具（ローラー、刷毛、鏝等）を図により表したり、製造者が製品グループごとに特定の色を定め、特徴表示部の特定箇所に表すことが出来る。
【００２８】
請求項４に記した、分割した区域数が３である特徴表示部とは、水平線あるいは垂直線を２本加えることにより３分割された特徴表示部が得られる。塗料の場合、下から上へ塗重ねるイメージを持つので水平線により分割された特徴表示が望ましい。この３分割された一部を塗りつぶしにし他を斜線表示にしたり、一部を色付けし他は容器の地色のままにしたりして、充填された塗料がどの工程に於いて利用されるものであるかを明瞭に表示可能となる。
【００２９】
この発明の塗料容器を用いた場合、危険物倉庫への入庫の要否が簡単に分かるだけでなく、製品種類の識別も容易となり、製品の保管管理が簡単になる。また、特徴表示の種類により、販売者が製品ごとに保管場所を区別する際あるいは商品の陳列を決定する際の指標、顧客が商品選択を行う際の種々の指標、例えば、購入商品が単品か組み合わせか、購入商品が複層模様を形成する材料の一つの場合、下塗り・主材・上塗りの何に当たるか、塗装器具が何であるか、特徴的機能は何か、顧客が商品を使用する際の指標、例えば、希釈剤は何か、塗装用器具は何か、使用順序としてどちらを先に使用するものか、塗装間隔はどれだけ必要か、の情報が簡単に得られる。
【発明の効果】
【００３０】
この発明は、以上のように構成されているため、次のような効果を奏する。
請求項１に記載の発明のによれば、容器内の塗料が水系塗料あるいは溶剤系塗料であるかが、一目で見分けられる。
【００３１】
請求項２に記載の発明のによれば、特徴表示部だけ確認することで、容器内の塗料についての機能、品質、適用方法、適用対象、製造者が設定した製品グループ、製造者が設定する一製品の個数、製造者が設定した製品組み合わせグループなどの塗料の特徴を一目で識別出来るようになる。
【００３２】
請求項３に記載の発明のによれば、請求項１又は請求項２に記載の発明の効果に加え、意味づけのある特定箇所に特徴表示を行うことにより複数の特徴情報を特定箇所だけ確かめることにより塗料の特徴を一目で識別出来るようになる。
【００３３】
請求項４に記載の発明のによれば、請求項２または請求項３に記載の発明の効果に加え、特徴表示部の一区域を確認することにより、下塗り、主材、上塗りの識別を一目で見分けられる。
【００３４】
請求項５に記載の発明のによれば、請求項１および請求項２ないし請求項４のいずれかに記載の発明の効果に加え、溶剤系、水系の表示および内容物の特徴的事項を表示の色と特徴表示部の表示によって簡単に把握できることとなる。
【実施例】
【００３５】
以下、この発明の実施形態を図面に基づいて詳細に説明する。
図１に示す実施例１では、角缶の塗料容器１０に対して、上段に商品名１、下段に使用説明２、取り扱い上の注意事項３、製造者名４が記載されている。上段の商品名は、水色のゴシック体文字により表示されている。そして、中段には特徴表示を３種類表し、一つは図形により、水系塗料であることを示す水滴マーク５および同じく図形により塗装器具を示すローラーマーク６、そしてもう一つの特徴表示７は、一つの区域を水平線２本により３つに分割し、上位置の区画のみ塗りつぶし中位置、下位置の区画には斜線を入ったものとしている。これら中段の図形も水色により表示されている。
【００３６】
３つ目に挙げた特徴表示部７は、塗りつぶしが入った部分が上位置であることにより、塗料が上塗りとして使用されるものであることを示すものであり、塗りつぶし入力部が中位置で有れば、主材あるいは中塗り、下位置で有れば、プライマーあるいは下塗りとして用いられる事を示すことになる。即ち、特徴表示部７は、塗料が適用される順位を示す特徴表示とも言える。
【００３７】
図２に示す実施例２では、図１と同じく角缶の塗料容器１０に対して、上段に商品名１、下段に使用説明２、取り扱い上の注意事項３、製造者４が記載されている。上段の商品名、下段の使用説明、取り扱い上の注意事項は、マリンブルーのゴシック体文字により表示されている。そして、中段には特徴表示を３種類表し、一つは図形により、水系塗料であることを示す水滴マーク５およびもう一つは文字により３つの特徴表示部を利用し、Ａだけ実線により表示した部分８、ＢあるいはＣを破線により表示した部分９、そしてもう一つの特徴表示７は、一つの区域を水平線２本により３つに分割し、中位置の区画のみ塗りつぶし上位置、下位置の区画には斜線を入ったものとしている。
【００３８】
Ａ，Ｂ，Ｃの３文字の実線、破線による表示部８，９は、ここでは３つの塗料を組み合わせて使用する事、容器に充填されている塗料は、その内のＡであることを表している。即ち、特徴表示部８，９は組み合わせて用いられる塗料の内の、どの部分かを示す特徴表示とも言える。
【００３９】
以上のように、これら実施例によれば次のような効果が発揮される。
・  商品名等表示の色調、水色あるいはマリンブルーを目で確かめるだけで、塗料が水系であることの識別が可能となり、倉庫における管理、現場貯蔵における管理が容易となる。
【００４０】
・  特徴表示部では、水滴マークが示された特徴表示部５により水系塗料であること、ローラーのマークが示された特徴表示部６により適用方法であるローラー塗装に適したものであること、一つの区域を縦方向３つに分割し、その一部に斜線を入れて上塗り用塗料、主材塗料であること、Ａ，Ｂ，Ｃ色ある内のＡ色であることが色彩と結合された文字、図形、記号もしくはこれらの結合による産物により表示されていて、特徴的事項を容易に把握できる。
【００４１】
・  一つの区域を水平線２本により３つに分割した特徴表示部７は、塗りつぶしが入った部分と斜線表示の区画を設けることにより、塗りつぶしの位置によって、上位置にあれば、塗料が上塗りとして使用されるものであることを示すものであり、塗りつぶしが中位置で有れば、主材あるいは中塗り、下位置で有れば、プライマーあるいは下塗りとして用いられる事が理解できることとなる。
【００４２】
・  なお、前記実施形態を次のように変更して構成することもできる。
商品名等表示色および／または特徴表示部を角缶の複数の面に表示することにより、塗料容器が複数積み重ねられたときも、いずれかの面が表面に現れ易くなる為、パレット積みの状態の時に於いても塗料の識別を容易にすることとなる。
【００４３】
・  容器形成材料及び／または容器表面として、塗料容器のキャップを選択することにより、溶剤系・水系の別を簡単に表示可能となる。この場合は、容器自体あるいは容器全体への表示でないため、容器製作に掛かる費用は安価に済ませることが可能である。
【００４４】
・  請求項４記載の特徴表示部を帯状に設け塗料容器の周囲を一周するようにあるいは一面においてのみ一部欠けた状態により表示することにより、塗料容器が複数積み重ねられたときも、いずれかの面が表面に現れ易くなる為、パレット積みの状態の時に於いても塗料の識別を容易にすることとなる。
【図面の簡単な説明】
【００４５】
【図１】実施例１を表す外観斜視図
【図２】実施例２を表す外観斜視図
【符号の説明】
【００４６】
１…商品名
２…使用説明
３…注意事項
４…製造者
５…水滴マークによる特徴表示
６…ローラーマークによる特徴表示
７…適用順位を示す特徴表示
８，９…組み合わせ塗料の部分を示す特徴表示
１０…塗料容器
【図１】
2004161385.tif 000003
【図２】
2004161385.tif 000004